【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
飲料ディスペンサであって、
水および少なくとも１種類の飲料添加物を搬送する複数の入力供給路に結合されるように構成されたフロー制御モジュールであって、水および飲料添加物が制御された流量で通過する個々の経路を提供するフロー制御モジュールと、
前記フロー制御モジュールから水および飲料添加物を受けるように構成されたスイッチモジュールであって、水および飲料添加物がそれぞれ通過する個々の経路を提供し、選択的に起動して、当該スイッチモジュールを通して前記水および飲料添加物の流れを個々に制御することができる前記経路の各々に関連するスイッチを備えるスイッチモジュールと、
前記スイッチモジュールからの前記水および飲料添加物を下流で受けるように構成され、前記水および飲料添加物が計量分配される個々の経路を提供するノズルと、
飲料添加物および飲料添加物の計量分配に対する第１のユーザ入力と、調合飲料および調合飲料の計量分配に対する第２のユーザ入力とを受けるように構成された制御パネルと、
前記制御パネルおよび前記スイッチモジュールに結合された制御ユニットと、を備え、
前記制御パネルが、当該制御パネルが受けるユーザ入力に基づいて各スイッチを選択的に起動する、飲料ディスペンサ。
【請求項２】
前記制御パネルが、ユーザからのサイズ選択を受けるようにさらに構成された、請求項１に記載の飲料ディスペンサ。
【請求項３】
前記スイッチモジュールが、前記個々の経路を画定する１つのブロックからなり、前記個々の経路の各々に関連するスイッチにしっかりと結合するように構成された、請求項１に記載の飲料ディスペンサ。
【請求項４】
前記制御パネルが、着脱式選択カードを含み、前記着脱式選択カードが、１つまたは複数のユーザ入力オプションを表示する、請求項１に記載の飲料ディスペンサ。
【請求項５】
前記着脱式選択カードが、マイラーカードを含む、請求項４に記載の飲料ディスペンサ。
【請求項６】
前記ノズルが、当該ノズルが受ける前記飲料添加物を計量分配するように構成された複数のインジェクタを備え、前記複数のインジェクタは、当該複数のインジェクタの内部に向かって上方に延びるように凹型に形成された口をさらに備える、請求項１に記載の飲料ディスペンサ。
【請求項７】
前記ノズルが、
複数のディスペンサと、
計量分配された水が、前記ノズルより下の場所で前記ノズルによって計量分配された飲料添加物と混合して調合飲料を形成するように、前記ディスペンサから計量分配された水の流れを方向付けるように構成されたノズルキャップと、をさらに備える、請求項１に記載の飲料ディスペンサ。
【請求項８】
前記飲料ディスペンサによって計量分配された調合飲料のブリックス比率が、調合飲料全体にわたって約１度を超えて変化することがない、請求項７に記載の飲料ディスペンサ。
【請求項９】
前記制御パネルが、ユーザ入力を受けるように構成された複数の結合コンデンサセンシング要素を備える、請求項１に記載の飲料ディスペンサ。
【請求項１０】
ユーザが前記制御パネルに物理的に接触することなく、ユーザ入力が前記制御パネルによって受け取られる、請求項１に記載の飲料ディスペンサ。
【請求項１１】
前記制御ユニットが、前記制御パネルによって提供されるさまざまなサイズ選択に関連する複数の飲料添加物分配量サイズと複数の比率とを格納するように構成されたメモリをさらに備え、前記複数の比率が、飲料ディスペンサによって計量分配される複数の調合飲料に対して所定量の水と混合する飲料添加物の量を定義する、請求項２に記載の飲料ディスペンサ。
【請求項１２】
飲料添加物分配量サイズおよび比率が、新しい飲料添加物分配量サイズおよび比率に再プログラミング可能である、請求項１１に記載の飲料ディスペンサ。
【請求項１３】
前記制御ユニットが、複数の飲料添加物と、前記複数の飲料添加物の各々に対して調合飲料を計量分配できるか否かについての指示とを格納するように構成されるメモリをさらに備える、請求項１に記載の飲料ディスペンサ。
【請求項１４】
前記メモリが、前記飲料ディスペンサの使用に関する履歴データを含む、請求項１１に記載の飲料ディスペンサ。
【請求項１５】
前記メモリが、複数の香味料分配量および調合飲料の香味料分配量サイズと比率とを定義するデフォルト設定をさらに有する、請求項１１に記載の飲料ディスペンサ。
【請求項１６】
前記制御パネルが、トップオフ選択を含み、前記トップオフ選択は、選択時に、前記飲料タワーによって計量分配される最後に調合された飲料の追加量を計量分配する、請求項１に記載の飲料ディスペンサ。
【請求項１７】
飲料添加物および飲料を計量分配するための方法であって、
複数の入力供給路から水および少なくとも１種類の飲料添加物を受けることと、
前記受けた水および飲料添加物の流量を流量装置と、各入力供給路に関連する個々に起動可能なスイッチとによって制御することと、
飲料添加物の選択および調合飲料の計量分配の選択を含むユーザ入力を受けることと、
前記選択された調合飲料に関連する前記水および飲料添加物に関連する前記スイッチのうちの少なくとも１つを選択的に起動することにより、ユーザ入力に基づいて水と飲料添加物の所定量を計量分配することと、
飲料添加物の選択に関するユーザ入力を受けることと、
前記選択された飲料添加物に関連する前記スイッチのうちの少なくとも１つを選択的に起動することにより、前記ユーザ入力に基づいて前記飲料添加物の所定量を計量分配することと、を含む方法。
【請求項１８】
ユーザ入力を受けることが、サイズ選択を受けることをさらに含む、請求項１７に記載の方法。
【請求項１９】
前記ユーザ入力が、着脱式選択カードに基づいており、前記着脱式選択カードが、１つまたは複数のユーザ入力オプションを表示する、請求項１７に記載の方法。
【請求項２０】
前記飲料添加物が、ノズルが受ける前記飲料添加物を計量分配するように構成された複数のインジェクタを備える当該ノズルから計量分配され、
前記複数のインジェクタが、当該複数のインジェクタの内部に向かって上方に延びるように凹型に形成された口をさらに備える、請求項１７に記載の方法。
【請求項２１】
前記計量分配された水が、前記ノズルより下の場所で、前記ノズルによって計量分配された飲料添加物と混合して調合飲料を形成するように、計量分配された水の流れを方向付けることをさらに含む、請求項１７に記載の方法。
【請求項２２】
飲料タワーの調合飲料および飲料添加物の選択を変更するための方法であって、前記飲料タワーが少なくとも飲料添加物およびサイズを選択可能なキーを備えたユーザインタフェースを有し、
前記飲料タワーのプログラムモードを起動することと、
飲料添加物キーを選択し、各サイズキーに対して前記選択された飲料添加物に新しい飲料添加物と水の比率を関連付けることと、
前記プログラムモードを抜けることと、を含む方法。
【請求項２３】
前記ユーザインタフェースを変更して、新しい調合飲料または飲料添加物を反映させることをさらに含む、請求項２２に記載の方法。
【請求項２４】
前記ユーザインタフェースを変更するステップが、前記ユーザインタフェースの選択カードを変更することをさらに含む、請求項２３に記載の方法。
【請求項２５】
選択された飲料添加物キーについて調合飲料を計量分配できるか否かを切り替えることをさらに含む、請求項２２に記載の方法。
【請求項２６】
前記制御ユニットが、前記飲料添加物および前記飲料添加物の計量分配の第１のユーザ入力を受けると、前記飲料添加物の計量分配を開始して完了するように構成され、
前記制御ユニットが、前記飲料添加物の計量分配の完了前に調合飲料および調合飲料の計量分配の第２のユーザ入力を無視するように構成される、請求項１に記載の飲料ディスペンサ。
【請求項２７】
前記制御ユニットが、調合飲料および調合飲料の計量分配の前記第２のユーザ入力を受けると、調合飲料の計量分配を開始して完了するように構成され、
前記制御ユニットが、前記調合飲料の計量分配の完了前に飲料添加物および飲料添加物の計量分配の第１のユーザ入力を無視するように構成される、請求項１に記載の飲料ディスペンサ。